(57)【特許請求の範囲】
【請求項１】
無線基地局と無線接続して公衆網に接続可能な移動無線端末装置において、
情報を表示可能な表示手段と、
ユーザからの要求を受け付けるキーと、
前記表示手段の近傍に設けられ、ユーザからの要求を受け付ける機能キーと、
前記機能キーに対応づけて、機能キーを操作した場合に行われる機能を説明するためのガイダンス情報を前記表示手段に表示するもので、前記キーと前記機能キーのうち、前記機能キーが操作された場合に、前記機能キーが操作されない場合よりも、前記ガイダンス情報を拡大して表示するとともに、ガイダンス情報以外に表示している情報については、前記機能キーが操作されない場合よりも、縮小して表示する制御を行うガイダンス表示制御手段とを具備することを特徴とする移動無線端末装置。
【発明の詳細な説明】
【０００１】
【発明の属する技術分野】
この発明は、文字情報や映像情報を表示可能な表示部を備えた移動無線端末装置に関する。
【０００２】
【従来の技術】
周知のように、近時、携帯電話システムや自動車電話システム、あるいはＰＨＳ（Personal Handyphone System）などの端末装置では、小型・軽量化と多機能化が進み操作が複雑になっている。
【０００３】
このため、図１２に示すように、表示部に隣接して機能キーを設け、この機能キーに割り当てられている機能を示すガイダンス表示を表示部に行って、ユーザが操作を混乱しないようにしている。
【０００４】
また、近時、端末装置のみで、インターネットなどのコンピュータネットワークに接続し、搭載するブラウザソフトウエアを用いて、情報を表示部に表示することができるものがある。
【０００５】
しかし、このような端末装置は、その携帯性を犠牲にすることができないため、表示部の大きさは制限され、表示できる情報量も限られており、携帯性を損なうことなく、多くの情報を表示できる改良が切望されている。
【０００６】
【発明が解決しようとする課題】
従来の移動無線端末装置では、その携帯性を犠牲にすることができないため、表示部の大きさは制限され、表示できる情報量も限られており、携帯性を損なうことなく、多くの情報を映示できる改良が切望されていた。
【０００７】
この発明は上記の要望に応えるべくなされたもので、携帯性を損なうことなく、多くの情報を映示することが可能な移動無線端末装置を提供することを目的とする。
【０００８】
【課題を解決するための手段】
上記の目的を達成するために、この発明は、無線基地局と無線接続して公衆網に接続可能な移動無線端末装置において、情報を表示可能な表示手段と、ユーザからの要求を受け付けるキーと、表示手段の近傍に設けられ、ユーザからの要求を受け付ける機能キーと、機能キーに対応づけて、機能キーを操作した場合に行われる機能を説明するためのガイダンス情報を表示手段に表示するもので、キーと機能キーのうち、機能キーが操作された場合に、機能キーが操作されない場合よりも、ガイダンス情報を拡大して表示するとともに、ガイダンス情報以外に表示している情報については、機能キーが操作されない場合よりも、縮小して表示する制御を行うガイダンス表示制御手段とを具備して構成するようにした。
【０００９】
上記構成の移動無線端末装置では、機能キーが操作された場合に、機能キーが操作されない場合よりも、ガイダンス情報を拡大して表示するとともに、ガイダンス情報以外に表示している情報については、機能キーが操作されない場合よりも、縮小して表示するようにしている。
したがって、上記構成の移動無線端末装置によれば、ユーザが操作しようとする機能キーについてのみ、任意にガイダンス情報を拡大表示制御できるので、不必要に大きなガイダンス情報を表示してしまうことを防止でき、携帯性を損なうことなく、多くの情報を映示することができる。
【００１７】
【発明の実施の形態】
以下、図面を参照して、この発明の一実施形態に係わる移動通信端末装置について説明する。図１は、その構成を示すもので、ここではＣＤＭＡ方式を通信方式とする移動通信端末装置を例に挙げている。
【００１８】
空間から、アンテナ１で受信された無線周波信号は、アンテナ共用器２に入力される。アンテナ共用器２は、受信用フィルタ２１と送信用フィルタ２２とからなる。これらのフィルタ２１，２２は、それぞれ２つのフィルタ特性を有しており、後述の制御部４０からの制御電圧Ｖc1に応じて、上記特性が制御される。
【００１９】
アンテナ１より入力された無線周波信号のうち、図示しない基地局から送信された帯域の無線周波信号は受信用フィルタ２１を通過して、受信部（ＲＸ）３に入力される。なお、この無線周波信号は送信用フィルタ２２により、後述の送信部５に入力されることはない。
【００２０】
受信部３では、上記無線周波信号が周波数シンセサイザ（ＳＹＮ）４から出力された受信局部発振信号とミキシングされて中間周波信号に周波数変換される。なお、上記周波数シンセサイザ４から発生される受信局部発振信号の周波数は、制御部４０からの制御電圧Ｖc2によって指示される。
【００２１】
受信部３にて得られた中間周波信号は、ＣＤＭＡ信号処理部６において、直交復調処理が施されたのち、逆拡散処理が施されて、データレートに応じた所定のフォーマットのデータに変換される。
【００２２】
そしてこの変換結果は、受信データとして、音声通信時には音声符号処理部７に、またデータ通信時には制御部４０に入力される。また上記受信データのうち、データレートを示すデータについては、受信データレートとして制御部４０に入力される。
【００２３】
音声符号処理部７は、上記ＣＤＭＡ信号処理部６にて得られた受信データに対して、制御部４０から通知される受信データレートに応じた伸長処理を施し、この処理結果をＰＣＭ符号処理部８に入力する。
【００２４】
ＰＣＭ符号処理部８は、音声符号処理部７にて伸張された受信データを復号してアナログ受話信号を得る。このアナログ受話信号は、増幅器９にて増幅された後スピーカ１０より拡声出力される。
【００２５】
一方、話者の入力音声は、マイクロホン１１を通じてアナログ送話信号として入力され、増幅器１２で適正レベルまで増幅された後、ＰＣＭ符号処理部８にてＰＣＭ符号化処理が施され、送信データとして音声符号処理部７に出力される。
【００２６】
音声符号処理部７は、ＰＣＭ符号処理部８から入力される送信データより入力音声のエネルギー量を検出し、この検出結果に基づいてデータレートを決定し、制御部４０に通知する。そして、上記送信データを上記データレートに応じたフォーマットのバースト信号に圧縮し、ＣＤＭＡ信号処理部６に入力する。
【００２７】
ＣＤＭＡ信号処理部６は、音声通信時に上記音声符号処理部７にて圧縮されたバースト信号、あるいはデータ通信時には、制御部４０からのデータ信号に対して、送信チャネルに応じたＰＮ符号を用いて拡散処理を施す。そしてこの処理結果に対して、直交変調処理を施し、直交変調信号として送信部（ＴＸ）５に入力する。
【００２８】
送信部５は、上記直交変調信号を送信局部発振信号と合成して無線周波信号に変換し、制御部４０により通知される送信データレートに基づいて、上記無線周波信号の有効部分だけを高周波増幅して、アンテナ共用器２に入力する。なお上記送信局部発振信号は、周波数シンセサイザ４にて生成されるもので、制御部４０からの制御電圧Ｖc2に応じた周波数の発振信号である。
【００２９】
アンテナ共用器２に入力された送信部５からの無線周波信号は、送信用フィルタ２２により、送信帯域の無線周波信号のみがアンテナ１に入力されて、上記基地局に向けて空間に放射される。尚、この送信帯域の無線周波信号は、受信用フィルタ２１により、受信部３に入力されることはない。
【００３０】
３１は電源回路であり、バッテリ３０の出力を基に所定の動作電源電圧Ｖccを生成して各回路に供給する。
【００３１】
制御部４０は、例えばマイクロコンピュータを主制御部とし、各部を統括して制御し、図示しない基地局と通信リンクを開設して通信を行なう通信制御の中枢である。また、制御部４０は、このような通信制御機能の他に、インターネットに接続してデータ通信を行う機能を備え、ブラウザソフトウエアなどを用いて、受信したデータを、後述するコンソールユニット（ＣＵ）４２の表示器に表示したり、あるいはユーザから入力キーを通じて与えられる情報を、インターネットに向け送信する制御機能を備える。
【００３２】
そしてまた、制御部４０は、新たな制御機能を実現するために、ガイダンス表示制御手段４０ａを備えている。このガイダンス表示制御手段４０ａは、ユーザからの要求に応じて、ガイダンス情報の表示を制御するものである。
【００３３】
記憶部４１は、例えばＲＯＭやＲＡＭのほか、Ｅ2ＰＲＯＭなどの半導体メモリを記憶媒体としたもので、これらの記憶媒体には制御部４０の制御プログラムの他に、複数のシステムを通じて通信を行うために、各システムの種々の制御データ、ユーザによる各種設定データ、短縮ダイヤル等に対応させたダイヤルデータなどを記憶する。
【００３４】
コンソールユニット（ＣＵ）４２にはダイヤルキー、発信キー、電源キー、終了キー、音量調節キーおよびファンクションキーなどのキー群と、通話相手端末の電話番号や装置の動作状態などを表示するためのＬＣＤ表示器、バッテリ３０のDischarge 状態を示す（バッテリ３０の充電を要求する）ＬＥＤランプが設けられている。
【００３５】
次に、上記構成の移動無線端末装置におけるガイダンス表示制御について説明する。
ユーザが、コンソールユニット４２上の所定のキー操作を行ってインターネットへの接続要求を行うと、制御部４０は、インターネットサービスプロバイダ宛てに発信し、このプロバイダを通じて、インターネットに接続する。
【００３６】
次に、制御部４０は、ブラウザソフトを起動し、上記プロバイダを通じて、インターネット上のサーバより種々のコンテンツの情報を取得して、ＬＣＤ表示器に表示する。
【００３７】
ここで、例えば「株価情報」を閲覧したとすると、ガイダンス表示制御手段４０ａが、図２に示すように、株価の銘柄を選択する情報の他に、ファンクションキーＦ１〜Ｆ３に対応づけて、各キーの機能を説明するガイダンス表示を行う。
【００３８】
この表示に続いて、ユーザがいずれかのファンクションキーＦ１〜Ｆ３を押下すると、図３に示すように、ガイダンス表示制御手段４０ａは、コンテンツであるタイトル表示「株価情報」と銘柄を縮小表示するとともに、ガイダンス表示を拡大表示する。
【００３９】
なお、拡大表示および縮小表示の各処理では、記憶部４１に用意されている最大サイズの文字フォントが拡大表示用のフォントとして用いられ、縮小表示のフォントとしては、拡大表示のフォントを構成するドットの隣接ドットの論理和を計算したものを用いる。図４は、６×６ドットのフォントを、４×４ドットのフォントに縮小した場合の例を示してる。
【００４０】
図３に示すような表示がなされた後、ユーザがさらにいずれかのファンクションキーＦ１〜Ｆ３を押下すると、押下されたキーに対応する機能が制御部４０の制御により実行される。
【００４１】
以上のように、上記構成の移動無線端末装置では、例えばインターネットなどのネットワークを通じて、種々の情報を取得して表示する際には、ファンクションキーのガイダンス表示を縮小表示し、そしてこの状態で、ファンクションキーが操作されると、表示中の情報を縮小表示するとともに、ガイダンス表示を拡大表示し、ファンクションキーの操作を受け付けるようにしている。
【００４２】
したがって、上記構成の移動無線端末装置によれば、表示器を大型化しなくても、ガイダンス表示を縮小表示して、取得した情報の表示エリアを拡大できるので、携帯性を損なうことなく、多くの情報を映示することができる。
【００４３】
尚、この発明は、上述したガイダンス表示制御に限定されるものではない。  例えば、通常の情報表示時には、ガイダンス表示制御手段４０ａが図５に示すように、ガイダンス表示を縮小表示し、ユーザがいずれかのファンクションキーＦ１〜Ｆ３を押下すると、ガイダンス表示制御手段４０ａが図６に示すように、押下されたファンクションキー（図６ではＦ２キー）のガイダンス表示を、コンテンツに上書きして拡大表示する。
【００４４】
なお、このような拡大表示がなされた状態で、ユーザがさらに上記ファンクションキーＦ２を押下すると、Ｆ２キーに対応する機能が制御部４０の制御により実行される。
【００４５】
このようなガイダンス表示制御であっても、表示器を大型化しなくても、ガイダンス表示を縮小表示して、取得した情報の表示エリアを拡大できるので、携帯性を損なうことなく、多くの情報を映示することができる。
【００４６】
また、例えば、通常の情報表示時には、ガイダンス表示制御手段４０ａが図７に示すように、ガイダンス表示は行わず、ユーザがいずれかのファンクションキーＦ１〜Ｆ３を押下すると、ガイダンス表示制御手段４０ａが図８に示すように、コンテンツであるタイトル表示「株価情報」と銘柄を縮小表示するとともに、ガイダンス表示を表示する。
【００４７】
なお、このようなガイダンス表示がなされた状態で、ユーザがさらにいずれかのファンクションキーＦ１〜Ｆ３を押下すると、押下されたキーに対応する機能が制御部４０の制御により実行される。
【００４８】
このようなガイダンス表示制御であっても、表示器を大型化しなくても、取得した情報の表示エリアをさらに拡大できるので、携帯性を損なうことなく、多くの情報を映示することができる。
【００４９】
さらには、制御部４０が、予め図９に示すような設定画面を通じて、ユーザよりガイダンスの表示位置（画面下側あるいは画面右側）、および文字サイズの設定を受け付けておく。そして、この設定に従って、ガイダンス表示制御手段４０ａが、図１０あるいは図１１に示すように、ガイダンス表示制御を行う。
【００５０】
このようなガイダンス表示制御によれば、コンテンツの画面占有状態に応じてガイダンス表示の位置を変えることができるので、限られた表示エリアを有効活用でき、携帯性を損なうことなく、多くの情報を映示することができる。
【００５１】
その他、この発明の要旨を逸脱しない範囲で種々の変形を施しても同様に実施可能であることはいうまでもない。
【００５２】
【発明の効果】
以上述べたように、この発明では、機能キーが操作された場合に、機能キーが操作されない場合よりも、ガイダンス情報を拡大して表示するとともに、ガイダンス情報以外に表示している情報については、機能キーが操作されない場合よりも、縮小して表示するようにしている。
【００５３】
したがって、この発明によれば、ユーザが操作しようとする機能キーについてのみ、任意にガイダンス情報を拡大表示制御できるので、不必要に大きなガイダンス情報を表示してしまうことを防止でき、携帯性を損なうことなく、多くの情報を映示することが可能な移動無線端末装置を提供できる。
【図面の簡単な説明】
【図１】この発明に係わる移動無線端末装置の一実施の形態の構成を示す回路ブロック図。
【図２】図１に示した移動無線端末装置のコンソールユニットのＬＣＤ表示器の表示例を示す図。
【図３】図１に示した移動無線端末装置のコンソールユニットのＬＣＤ表示器の表示例を示す図。
【図４】図１に示した移動無線端末装置におけるフォントの縮小表示処理を説明するための図。
【図５】図１に示した移動無線端末装置のコンソールユニットのＬＣＤ表示器の表示例を示す図。
【図６】図１に示した移動無線端末装置のコンソールユニットのＬＣＤ表示器の表示例を示す図。
【図７】図１に示した移動無線端末装置のコンソールユニットのＬＣＤ表示器の表示例を示す図。
【図８】図１に示した移動無線端末装置のコンソールユニットのＬＣＤ表示器の表示例を示す図。
【図９】図１に示した移動無線端末装置におけるガイダンス表示の設定画面を示す図。
【図１０】図１に示した移動無線端末装置のコンソールユニットのＬＣＤ表示器の表示例を示す図。
【図１１】図１に示した移動無線端末装置のコンソールユニットのＬＣＤ表示器の表示例を示す図。
【図１２】従来の移動無線端末装置のＬＣＤ表示器の表示例を示す図。
【符号の説明】
１…アンテナ
２…アンテナ共用器
２１…受信用フィルタ
２２…送信用フィルタ
３…受信部（ＲＸ）
４…周波数シンセサイザ（ＳＹＮ）
５…送信部（ＴＸ）
６…ＣＤＭＡ信号処理部
７…音声符号処理部
８…ＰＣＭ符号処理部
９…増幅器
１０…スピーカ
１１…マイクロホン
１２…増幅器
３０…バッテリ
３１…電源回路
４０…制御部
４０ａ…ガイダンス表示制御手段
４１…記憶部
４２…コンソールユニット（ＣＵ）
【図１】
0004189088.tif 000002
【図２】
0004189088.tif 000003
【図３】
0004189088.tif 000004
【図４】
0004189088.tif 000005
【図５】
0004189088.tif 000006
【図６】
0004189088.tif 000007
【図７】
0004189088.tif 000008
【図８】
0004189088.tif 000009
【図９】
0004189088.tif 000010
【図１０】
0004189088.tif 000011
【図１１】
0004189088.tif 000012
【図１２】
0004189088.tif 000013